(57)【特許請求の範囲】
【請求項１】
遊技盤の遊技領域に、図柄を変動表示する図柄表示装置を装備する役物装置が配置された遊技機において、
前記役物装置は、
遊技盤の前側から取着され役物装置の前面装飾部を構成する前装飾部材と、該前装飾部材の後側に設けられた枠構成部材とを主体として構成される前配置ユニットと、
該前配置ユニットと整合する位置に遊技盤の裏側から取着される台本体と、この台本体の裏側に設置される前記図柄表示装置とを主体として構成される後配置ユニットと、
該後配置ユニットに組込まれた発光装飾部と、を備えて構成され、
前記前配置ユニットの前装飾部材は、
ほぼ円形状の開口面域を有する枠状に形成されて遊技盤に開設された役物装着孔の前面開口部に合わせて取着されるものであって、
上部に位置し正面に開設した開口孔に第２のレンズ体が組み付けられている上飾り部と、
下部に位置し正面に点状に複数個開設した開口孔に第３のレンズ体が組み付けられている下飾り部と、
左右に位置するサイド飾り部と、を備え、
前記枠構成部材は、
透明又は半透明の透光性材料により形成されるとともに前記前装飾部材の開口面域の後側に沿って整合する枠状に形成されて取着されるものであって、
後方に向けて突出する周壁部と、
該周壁部の後端部から内側に向けて張り出され、レンズ加工されることで第１のレンズ体である前レンズ体とされた奥板部と、
該奥板部に開設された前記図柄表示装置の図柄表示面透視用の開口窓と、を備え、
前記後配置ユニットの前記台本体は、
透明又は半透明の透光性材料により形成されるものであって、
遊技盤の後面に対向する前板部と、
該前板部から後方に向けて突出する段差壁と、
この段差壁の突出端から内側に張り出されレンズ加工されることで後レンズ体とされた奥板部と、
該奥板部に形成された前記枠構成部材の開口窓に対向する開口窓と、
前記後レンズ体の後側に設けた第１の基板装着部と、
前記前板部の後側であって前記第２のレンズ体に対応する位置に設けて照明用の孔を貫設した第２の基板装着部と、
前記前板部の後側であって前記第３のレンズ体に対応する位置に設けて各レンズ体の真後ろとなる位置に照明用の孔を貫設した第３の基板装着部と、を備え、
前記発光装飾部は、
複数個の発光体を配置接続した第１，第２，第３のランプ基板を、前記台本体の第１，第２，第３の各基板装着部に配置するとともに、第１のランプ基板の発光体を第１のレンズ体である前記前レンズ体の後面に配置し、第２のランプ基板の発光体を前記第２の基板装着部の照明用の孔から発光部を前方外部に突出させ、さらに第３のランプ基板の発光体を前記第３の基板装着部の照明用の孔に対し非貫通状態で先端部分のみを差し入れて発光体の光がその照明用の孔を通って第３のレンズ体の後面に照射されるようにしたことを特徴とする遊技機。
【発明の詳細な説明】
【０００１】
【発明の属する技術分野】
この発明は、例えばパチンコ機（雀球機、アレンジボール機等も含む）のような遊技機に関する。
【０００２】
【従来の技術】
従来、パチンコ機において、例えば、遊技盤前面の遊技領域の略中央部に配設された役物装置（センター役物とも呼ばれている）において、装飾性や遊技の興趣等を高めるために、発光装飾部を設けることが知られている。このような発光装飾部は、役物本体の前側の開口部に装着されたレンズ体と、役物本体の内部に装着されかつ前記レンズ体に向けて光りを発するランプ、ＬＥＤ等の発光体とを備えて構成されているのが一般的であった。
【０００３】
【発明が解決しようとする課題】
ところで、前記従来のものにおいて、発光体が発する光をレンズ体の全面から略均一に拡散して出射させるためには、そのレンズ体のレンズカットを、例えば擦りガラス状に可及的に細かくすることが必要となる。一方、レンズ体の意匠性を考慮して、見栄えのよいレンズカット、例えば、比較的大きい凹凸の縞模様にレンズカットすると、光拡散機能が低下する不具合が生じる場合がある。言い換えると、光拡散機能を確保しながらレンズ体の意匠性を高めることは困難であるという問題点があった。
【０００４】
この発明の目的は、前記従来の問題点に鑑み、光拡散機能を確保しながらレンズ体の意匠性を高めることが可能な発光装飾部を有する役物装置を備えた遊技機を提供することである。
【０００５】
【課題を解決するための手段】
遊技盤の遊技領域に、図柄を変動表示する図柄表示装置を装備する役物装置が配置された遊技機において、
前記役物装置は、
遊技盤の前側から取着され役物装置の前面装飾部を構成する前装飾部材と、該前装飾部材の後側に設けられた枠構成部材とを主体として構成される前配置ユニットと、
該前配置ユニットと整合する位置に遊技盤の裏側から取着される台本体と、この台本体の裏側に設置される前記図柄表示装置とを主体として構成される後配置ユニットと、
該後配置ユニットに組込まれた発光装飾部と、を備えて構成され、
前記前配置ユニットの前装飾部材は、
ほぼ円形状の開口面域を有する枠状に形成されて遊技盤に開設された役物装着孔の前面開口部に合わせて取着されるものであって、
上部に位置し正面に開設した開口孔に第２のレンズ体が組み付けられている上飾り部と、
下部に位置し正面に点状に複数個開設した開口孔に第３のレンズ体が組み付けられている下飾り部と、
左右に位置するサイド飾り部と、を備え、
前記枠構成部材は、
透明又は半透明の透光性材料により形成されるとともに前記前装飾部材の開口面域の後側に沿って整合する枠状に形成されて取着されるものであって、
後方に向けて突出する周壁部と、
該周壁部の後端部から内側に向けて張り出され、レンズ加工されることで第１のレンズ体である前レンズ体とされた奥板部と、
該奥板部に開設された前記図柄表示装置の図柄表示面透視用の開口窓と、を備え、
前記後配置ユニットの前記台本体は、
透明又は半透明の透光性材料により形成されるものであって、
遊技盤の後面に対向する前板部と、
該前板部から後方に向けて突出する段差壁と、
この段差壁の突出端から内側に張り出されレンズ加工されることで後レンズ体とされた奥板部と、
該奥板部に形成された前記枠構成部材の開口窓に対向する開口窓と、
前記後レンズ体の後側に設けた第１の基板装着部と、
前記前板部の後側であって前記第２のレンズ体に対応する位置に設けて照明用の孔を貫設した第２の基板装着部と、
前記前板部の後側であって前記第３のレンズ体に対応する位置に設けて各レンズ体の真後ろとなる位置に照明用の孔を貫設した第３の基板装着部と、を備え、
前記発光装飾部は、
複数個の発光体を配置接続した第１，第２，第３のランプ基板を、前記台本体の第１，第２，第３の各基板装着部に配置するとともに、第１のランプ基板の発光体を第１のレンズ体である前記前レンズ体の後面に配置し、第２のランプ基板の発光体を前記第２の基板装着部の照明用の孔から発光部を前方外部に突出させ、さらに第３のランプ基板の発光体を前記第３の基板装着部の照明用の孔に対し非貫通状態で先端部分のみを差し入れて発光体の光がその照明用の孔を通って第３のレンズ体の後面に照射されるようにした遊技機を提供する。
このようにして、発光体の前側に前後の各レンズ体を配設することによって、レンズカットの設計の自由度を高めることができる。例えば、後レンズ体のレンズカットを光拡散性に優れるレンズカット形状にし、前レンズ体のレンズカットを意匠性に優れるレンズカット形状にすることによって、光拡散機能を確保しながらレンズ体の意匠性を高めることが可能となる。
【０００６】
また、前配置ユニットに前レンズ体を設け、後配置ユニットに後レンズ体及び発光体を設け、遊技盤の後側から後配置ユニットを、遊技盤の前側から前配置ユニットを配置して役物装置を構成することができる。このように、前配置ユニットに前レンズ体を設け、後配置ユニットに後レンズ体及び発光体を設けることで、前レンズ体と、後レンズ体及び発光体とを相互に位置合わせして組み付ける作業が容易となるとともに、これら前レンズ体と、後レンズ体及び発光体とが相互位置ずれする不具合も防止することができる。
【０００７】
【発明の実施の形態】
（実施の形態）
この発明の実施の形態を図１〜図１０にしたがって説明する。なお、説明の便宜上、遊技機に対する遊技者側を前、反対側を後という。遊技機としてのパチンコ機の遊技盤を正面（前面）で表した図５、及び図５のＶＩ−ＶＩ線に基づく断面で表した図６において、遊技盤１０の前面の周縁部には、外レール１２と内レール１３とを備えた案内レール１１が装着されている。案内レール１１の内側には、遊技領域１５が区画形成されるとともに、外レール１２と内レール１３との間には、図示しない球発射装置から発射された球（パチンコ球）を遊技領域１５の上部に案内する球発射通路１４が形成されている。遊技盤１０の遊技領域１５の略中央部には役物装置３０が装着され、その役物装置３０の上下左右側方の計４箇所には風車器１６がそれぞれ配設されている。また、遊技盤１０の遊技領域１５には、その役物装置３０の上部寄りの左右側方に位置してゲート口１７が設けられている。
【０００８】
また、遊技盤１０の遊技領域１５には、役物装置３０の下部中央部に位置しかつ開閉部材１８ａによる可変の始動口を備えた始動用入賞器１８が配設されている。この始動用入賞器１８の可変の始動口に球が流入すると、後述する図柄表示装置１１０が作動するようになっている。なお、球がゲート口１７を通過することで、普通図柄表示手段（図示しない）が作動して普通図柄の抽選が行われる。そして、普通図柄表示手段の抽選に基づいて、始動用入賞器１８の開閉部材１８ａが所定時間（例えば、１秒間）開放し、これによって始動用入賞器１８の可変の始動口に対し球が流入し易くなるようになっている。また、遊技盤１０の遊技領域１５には、その始動用入賞器１８の下方に位置してアタッカ装置２０が装着されている。このアタッカ装置２０には、その略中央部に開閉扉２１によって開閉される大入賞口２２が設けられている。また、遊技盤１０の遊技領域１５には、その最下端に位置しかつアタッカ装置２０の下方においてアウト口２３が形成されている。さらに、アタッカ装置２０の左右両側部に位置してサイド装飾部材２４が配設され、これらサイド装飾部材２４の所定位置には入賞口２５が設けられている。
【０００９】
前記役物装置３０には、装飾性や遊技の興趣等を高めるための前レンズ体３６、後レンズ体６７及び発光体９１を備えた発光装飾部が設けられている。この実施の形態において、図１〜図４に示すように、役物装置３０は、遊技盤１０の後側から配置される後配置ユニット５０と、遊技盤１０の前側から配置される前配置ユニット３１と、を備えて構成されている。そして、前レンズ体３６は前配置ユニット３１に設けられ、後レンズ体６７及び発光体９１は、後配置ユニット５０にそれぞれ設けられている。
【００１０】
図７と図８に示すように、前配置ユニット３１は、役物装置３０の前面装飾部を構成する前装飾部材３３と、その前装飾部材３３の後側に設けられた枠構成部材４３とを主体として構成されている。前装飾部材３３は、遊技盤１０の略中央部に貫設された役物装着孔１０ａの前面開口部の周縁を塞ぐようにして枠状に形成され、ビス等によって遊技盤１０の前面に取り付けられている。図２と図８に示すように、前装飾部材３３の上飾り部３４には、その略中央部の開口孔に中央レンズ体３５が、左右両側部の開口孔にサイドレンズ体３６がそれぞれ組み付けられている。さらに、上飾り部３４の上縁部には前方に向けて張り出す天井飾り部３７が形成されている。
【００１１】
また、図８と図９に示すように、前装飾部材３３の下飾り部３９の複数の開口孔には、レンズ体４２が組み付けられている。これらレンズ体４２は、始動用入賞器１８に流入した球を保留球として所要数（例えば、最大で４個）まで表示するための後述する第３のランプ基板９６の発光体９７に対応して設けられている。また、前装飾部材３３の左右の両サイド飾り部４０には、遊技領域１５を流れる球を受けて、その球を前装飾部材３３後側の枠構成部材４３に向けて誘導する球受け誘導部４１が形成されている（図２参照）。
【００１２】
図８〜図１０に示すように、枠構成部材４３は、前装飾部材３３の後側の開口縁に沿って枠状をなして後方に向けて突出する周壁部４４と、その周壁部４４の後端部から内側に向けて張り出された奥板部４５とを備えて段差枠状に形成されている。そして奥板部４５には、後述する図柄表示装置１２０の図柄表示面１２２を視認可能な開口窓４６が形成されている。また、この実施の形態において、図１と図２に示すように、前配置ユニット３１（枠構成部材４３）の周壁部４４の下側部には、左右部から中央部に向けて若干傾斜する棚板部４４ａが設けられている。さらに、棚板部４４ａの左右方向中央部には、前側に向けて下り勾配の凹溝状をなす放出口４４ｂが形成されている。この放出口４４ｂは、始動用入賞器１８の入球口の直上に位置している。すなわち、遊技領域１５を流れる球のうち、一部の球は、球受け誘導部４１に受けられたり、あるいは誘導釘に衝突して跳ね返り、棚板部４４ａ上に受けられる。すると、球は棚板部４４ａ上を左右に揺動（往復動）しながら、その振幅をしだいに小さくして、その棚板部４４ａの放出口４４ｂから放出される。この際、放出口４４ｂの中央部において案内され放出された球は、始動用入賞器１８の入球口に流入し易く、また、放出口４４ｂの中央から左右にずれて放出された球は、始動用入賞器１８の入球口の上方に配設された釘に当たって、その入球口に流入し難く構成されている。
【００１３】
また、この実施の形態において、図２、図７及び図８に示すように、奥板部４５は、その左右両側部と下部が広く形成され、遊技者側から視認可能となっている。言い換えると、前装飾部材３３の左右のサイド飾り部４０と下飾り部３９とが外側に比較的大きく張り出して形成され、これに対応して奥板部４５の左右両側部と下部が広くされ、遊技者側から視認されやすく構成されている。特に、前記枠構成部材４３は、透明、半透明の合成樹脂等の透光性材料によって形成されている。そして、枠構成部材４３の略全体がレンズ加工されることで前レンズ体４７が構成されるようになっている。このように、枠構成部材４３としての前レンズ体４７のレンズカットは意匠性を重視して比較的大きい凹凸の縞模様等に設定されている。さらに、枠構成部材４３、すなわち、前レンズ体４７を透明、半透明の合成樹脂等の透光性材料によって射出成形すると同時に、前レンズ体４７に所望とするレンズカットの凹凸面が成形される。
【００１４】
図１〜図４に示すように、役物装置３０の後配置ユニット５０は、後構成部材としての取付台５２と、図柄表示装置１２０とを主体として構成されている。取付台５２は、台本体６０と、その台本体６０に着脱可能に取り付けられるカバー体１１０とを備えて中空の箱形枠状に構成されている。そして、取付台５２の内部には、役物装置３０に関連する回路基板としての第１〜第３のランプ基板９０、９３、９６がそれぞれ収納された状態で取り付けられている。図２、図４及び図８に示すように、台本体６０は、遊技盤１０の後面に対向する前板部６１と、その前板部６１の周縁部から後方に突出された外周壁部６２とを備えている。また、台本体６０の前板部６１の左右両側部には、所要数の張出片６０ａがそれぞれ張り出し状に形成されている。そして、台本体６０は、その張出片６０ａにおいては、ビスによって遊技盤１０の後面に取り付けられている。
【００１５】
図２と図４に示すように、台本体６０の前板部６１の中央部には、後方に向けて突出する段差壁６３と、その段差壁６３の突出端から内側に向けて張り出され奥板部６５とを備えた段差凹部が形成されている。そして、その段差凹部には前配置ユニット３１の枠構成部材４３が相互に位置決めされて嵌込まれるようになっている。また、奥板部６５には、枠構成部材４３の開口窓４６に対応する開口窓６６が形成されるとともに、その開口窓６６の周縁部に沿って後方に向けて突出する内周壁部６８が形成されている。
【００１６】
また、この実施の形態において、台本体６０は、透明、半透明の合成樹脂等の透光性材料によって形成されている。そして、台本体６０の一部である奥板部６５がレンズ加工されることで後レンズ体６７が構成されるようになっている。この後レンズ体６７のレンズカットは光拡散性を重視して比較的小さい凹凸（例えば、擦りガラス状）に設定されている。さらに、台本体６０を透明、半透明の合成樹脂等の透光性材料によって射出成形すると同時に、その台本体６０の奥板部６５に所望とするレンズカットの凹凸面が成形されることで後レンズ体６７が構成されるようになっている。
【００１７】
役物装置３０に関連する回路基板としての第１のランプ基板９０の一部は、台本体６０と、カバー体１１０との間に狭持された状態で固定されている。この実施の形態において、図２と図４に示すように、前配置ユニット３１の前装飾部材３３に配設された前レンズ体４７に対向する台本体６０の後レンズ体６７の後側に第１の基板装着部６９が設けられている。この第１の基板装着部６９には、第１のランプ基板９０の前側面を受ける基板当接部７０と、第１のランプ基板９０を位置決めするための複数又は単数の位置決め用凸部７１とがそれぞれ形成されている。さらに、位置決め用凸部７１は、基板当接部７０と略同じ高さ位置において第１のランプ基板９０の前側面を受ける受け面７１ａと、その受け面７１ａから突出して第１のランプ基板９０に貫設された位置決め孔に嵌挿される位置決めピン７１ｂとを備えている（図１０参照）。一方、第１のランプ基板９０の前側面には、後レンズ体６７を透して前レンズ体４７に光りを発するランプ、ＬＥＤ等の複数又は単数の発光体９１が装着されている。
【００１８】
また、この実施の形態において、前装飾部材３３の上飾り部３４の中央レンズ体３５及びサイドレンズ体３６の後側に対向する台本体６０の前板部６１の後側に第２の基板装着部７２が設けられている。さらに、前装飾部材３３の下飾り部３９のレンズ体４２の後側に対向する台本体６０の前板部６１の後側に第３の基板装着部７５が設けられている。第２の基板装着部７２には、第２のランプ基板９３の前側面を受ける基板当接部７０と、第２のランプ基板９３を位置決めするための複数又は単数の位置決め用凸部７１とがそれぞれ形成されている。さらに、この位置決め用凸部７１においても、基板当接部７０と略同じ高さ位置において第２のランプ基板９３の前側面を受ける受け面と、その受け面から突出して第２のランプ基板９３に貫設された位置決め孔に嵌挿される位置決めピンとを備えている。また、第３の基板装着部７５においても、略同様にして、第３の基板装着部７５の前側面を受ける基板当接部７０と、位置決め用凸部７１とがそれぞれ形成され、この位置決め用凸部７１においても、基板当接部７０と略同じ高さ位置において第３のランプ基板９６の前側面を受ける受け面と、その受け面から突出して第３のランプ基板９６に貫設された位置決め孔に嵌挿される位置決めピンとを備えている。
【００１９】
図１と図８に示すように、第２のランプ基板９３の前側面には、前装飾部材３３の上飾り部３４の中央レンズ体３５及びサイドレンズ体３６にそれぞれ光を発するランプ、ＬＥＤ等の複数の発光体９４が装着されている。これら発光体９４先端の発光部は台本体６０の前板部６１に貫設された孔に差し込まれている。また、図１と図９に示すように、第３のランプ基板９６の前側面には、前装飾部材３３の下飾り部３９のレンズ体４２にそれぞれ光を発するランプ、ＬＥＤ等の複数の発光体９７が装着されている。これら発光体９７先端の発光部においても、台本体６０の前板部６１に貫設された孔に差し込まれている。そして、第１〜第３の基板装着部６９、７２、７５に、第１〜第３のランプ基板９０、９３、９６がそれぞれ位置決めされて載置された状態において、台本体６０に対し、次に詳述するカバー体１１０が装着されることによって、台本体６０と、カバー体１１０との間に第１〜第３のランプ基板９０、９３、９６の一部がそれぞれ狭持された状態で固定されるようになっている。
【００２０】
また、この実施の形態において、台本体６０の左右の張出片６０ａのうち、図４に向かって右側の張出片６０ａには、中継基板装着部８０が設けられている。この中継基板装着部８０には、図示しないランプ制御基板から伝達される信号を中継して第１〜第３のランプ基板９０、９３、９６に伝達する中継基板１００が装着されている。すなわち、中継基板装着部８０には、中継基板１００の位置決め孔に差し込まれて中継基板１００を位置決めする位置決め用凸部８２と、同中継基板１００を通してビスがねじ込まれることで中継基板１００を固定する締付け用ボス８３とがそれぞれ配設されている。また、この実施の形態において、図１０に示すように、台本体６０の前板部６１、外周壁部６２及び内周壁部６８によって囲まれた空間部には、第１〜第３のランプ基板９０、９３、９６と中継基板１００とを電気的に接続する接続線を配線するための配線経路８５が設けられている。
【００２１】
図１と図３に示すように、台本体６０の後側には、中継基板１００を露出状態で、かつ第１〜第３のランプ基板９０、９３、９６を覆うカバー体１１０がビス等によって着脱可能に取り付けられている。このカバー体１１０は、台本体６０の開口窓６６に略一致する開口窓１１２が形成された前板部１１１と、その前板部１１１の後側周縁部に沿って略環状に突設された周壁体１１４とを備えて構成されている。そして、図８〜図１０に示すように、カバー体１１０の前板部１１１の前面あるいは周壁体１１４には、第１〜第３のランプ基板９０、９３、９６を押える複数の基板押え部１１３がそれぞれ形成されている。
【００２２】
図８に示すように、カバー体１１０の周壁体１１４の後側には、次に述べる図柄表示装置１２０が装着されるようになっている。カバー体１１０の周壁部１１４は、図柄表示装置１２０の液晶パネル１２１が後方から嵌込まれる内周壁部と、その内周壁部の外側に所定の空間部を隔てて設けられた外周壁部と、これら内外の両周壁部の後端面を連結する後壁部と、を有して横断面略コの字状の二重壁構造をなしている。これによって周壁体１１４の強度が高められるようになっている。さらに、図３に示すように、周壁体１１４の後壁部後面の下部中央部には、後方に向けて略水平状に突出する受止部１１５が形成され、その受止部１１５の先端には、上方に向けて係止片１１６が突設されている。さらに、周壁体１１４の後壁部後面の上部左右両側部に位置決め用凸部１１７と締付け用ボス１１８とがそれぞれ形成されている。
【００２３】
図３と図８に示すように、図柄表示装置１２０は、前面に図柄表示面１２２を有する液晶パネル１２１と、その液晶パネル１２１の後面に装着された図柄制御ボックス１３０とを一体状に備えている。また、図柄制御ボックス１３０は、液晶パネル１２１の図柄表示面１２２の対する図柄を制御する制御基板１３１を収納したベース体１３２と蓋体１３３とを備えている。図柄制御ボックス１３０のベース体１３２下部の中央部には、カバー体１１０の受止部１１５に受けられた状態で、その受止部１１５の係止片１１６に係合する切り欠き状の係合部が形成されている。
【００２４】
また、図３と図８に示すように、ベース体１３２上部の左右両側部には、位置決め用凸部１１７と締付け用ボス１１８に対応する位置において、位置決め孔と取付孔とを有する取付片１３２ａがそれぞれ形成されている。そして、カバー体１１０の周壁部１１４の後方から図柄表示装置１２０の液晶パネル１２１が嵌込まれる。この際、図柄制御ボックス１３０のベース体１３２下部の係合部が、カバー体１１０の受止部１１５の係止片１１６に係合し、ベース体１３２上部の左右両取付片１３２ａの位置決め孔が、カバー体１１０の位置決め用凸部１１７に差し込まれて位置決めされる。この状態で、ビスがベース体１３２の左右両取付片１３２ａの取付孔を通してカバー体１１０の締付け用ボス１１８にねじ込まれることによって、カバー体１１０の周壁部１１４に図柄表示装置１２０が装着されるようになっている。なお、制御基板１３１は、図示しない主制御装置（主制御基板）に電気的に接続されている。そして、主制御装置から伝達される信号に基づいて制御基板１３１から図柄制御信号を液晶パネル１２１に伝達するようになっている。
【００２５】
この実施の形態に係る遊技機としてのパチンコ機は上述したように構成される。したがって、パチンコ遊技の際、図示しない球発射装置から球発射通路１４に発射された球（パチンコ球）は、遊技領域１５の上部に打ち出され、多数の誘導釘に案内されながら遊技領域１５の下部に向けて流れる。遊技領域１５に打ち出された球のうち、一部の球はゲート口１７を通過したり、あるいは、始動用入賞器１８、入賞口２５等の入球口に流入する。また、これら入球口に流入しなかった多くの球は遊技領域１５の下部のアウト口２３に流入し、機外に排出される。球がゲート口１７を通過すると、普通図柄表示手段（図示しない）が作動して普通図柄の抽選が行われる。この抽選結果に基づいて、始動用入賞器１８の開閉部材１８ａが所定時間（例えば、１秒間）開放して閉じる。始動用入賞器１８に球が流入すると、その球がセンサによって検出され、その検出信号が主制御装置（主制御基板）に送られる。すると、その信号が図柄表示装置１２０の制御基板１３１に伝達され、これによって液晶パネル１２１の図柄表示面１２２に表示された図柄が変動し、設定時間後停止する。そして、図柄表示面１２２には前記信号に基づく図柄が表示される。
【００２６】
図柄表示面１２２に表示された図柄が「大当たり図柄」、例えば「７・７・７」となって停止した場合、大当たりとなる。すると、アタッカ装置２０の開閉扉２１によって大入賞口２２が開かれる。大入賞口２２に球が１０個流入するか、あるいは、３０秒経過すると、開閉扉２１によって大入賞口２２が閉じられる。大入賞口２２の開放時において、その大入賞口２２に設けられた特定領域に球が入ると、開閉扉２１によって大入賞口２２が一旦閉じた後、再び開く。開閉扉２１によって大入賞口２２が所定回数（例えば、最大１６回）開閉を繰り返すことで、大当たり遊技が終了する。
【００２７】
大当たり遊技の際、主制御装置（主制御基板）からランプ制御基板に伝達される信号によって第１のランプ基板９０の発光体９１が点灯・消灯する。第１のランプ基板９０の発光体９１が発する光は、取付台５２の後レンズ体６７と、前装飾部材３３の前レンズ体４７を順に透して前方に出射する。言い換えると、前レンズ体４７が照明、非照明の状態となる。これによって、装飾効果が高められるばかりでなく、大当たり遊技の興趣が増大し、遊技者の歓心を高めることができる。
【００２８】
この実施の形態において、後レンズ体６７のレンズカットは光拡散性を重視して比較的小さい凹凸（例えば、擦りガラス状）に設定されている。このため、第１のランプ基板９０の発光体９１が発する光は、後レンズ体６７を透して広範囲に略均一に拡散して前レンズ体４７を照明する。また、前レンズ体４７のレンズカットは意匠性を重視して比較的大きい凹凸の縞模様等に設定されている。このため、前レンズ体４７のレンズカットによって意匠性を高めることができる。また、大当たり遊技が終了し、例えば、確率変動等となった場合、あるいは、図柄表示面１２２に表示された図柄がリーチ状態となった場合等において、主制御装置（主制御基板）からランプ制御基板に伝達される信号によって第１のランプ基板９０の発光体９１を点滅制御することもできる。この場合には、確率変動時、リーチ時等においても遊技の興趣が増大し、遊技者の歓心を高めることが可能となる。
【００２９】
また、この実施の形態において、遊技盤１０の後側から配置される後配置ユニット５０と、遊技盤１０の前側から配置される前配置ユニット３１と、を備えて役物装置３０が構成されている。そして、前レンズ体３６は前配置ユニット３１に設けられ、後レンズ体６７及び発光体９１は、後配置ユニット５０にそれぞれ設けられている。このため、前レンズ体３６と、後レンズ体６７及び発光体９１とを相互に位置合わせして組み付ける作業が容易となるとともに、これら前レンズ体３６と、後レンズ体６７及び発光体９１とが相互位置ずれする不具合も生じない。
【００３０】
また、この実施の形態において、前配置ユニット３１の前構成部材をなす枠構成部材４３が、透明、半透明の合成樹脂等の透光性材料によって形成され、その枠構成部材４３の略全体がレンズ加工されることで前レンズ体４７が構成されている。このため、枠構成部材４３と前レンズ体４７とをそれぞれ個別に製作して組み付ける手間を省くことができるばかりでなく、前レンズ体４７を組み付ける専用のスペースを確保する必要もなくなる。さらに、枠構成部材４３を透明、半透明の合成樹脂等の透光性材料によって射出成形すると同時に、前レンズ体４７に所望とするレンズカットの凹凸面を成形することができ、コスト低減に効果が大きい。
【００３１】
また、この実施の形態において、後配置ユニット５０の後構成部材をなす取付台５２の台本体６０が、透明、半透明の合成樹脂等の透光性材料によって形成され、その台本体６０の一部である奥板部６５がレンズ加工されることで後レンズ体６７が構成されている。このため、台本体６０と後レンズ体６７とをそれぞれ個別に製作して組み付ける手間を省くことができるばかりでなく、後レンズ体６７を組み付ける専用のスペースを確保する必要もなくなる。さらに、台本体６０を透明、半透明の合成樹脂等の透光性材料によって射出成形すると同時に、後レンズ体６７に所望とするレンズカットの凹凸面を成形することができ、コスト低減に効果が大きい。
【００３２】
また、この実施の形態において、第２のランプ基板９３の発光体９４は、パチンコ機１の電源がＯＮされると点灯する装飾用ランプとして用いられる。そして、第２のランプ基板９３の発光体９４が発する光は、前装飾部材３３の中央レンズ体３５及びサイドレンズ体３６を透して出射する。また、第３のランプ基板９６の発光体９７は、始動用入賞器１８に流入した球を保留球として表示するための表示ランプとして用いられている。そして、始動用入賞器１８に流入した球の個数に基づいて第３のランプ基板９６の各発光体９７が点灯し、その発光体９７が発する光が前装飾部材３３の下飾り部３９のレンズ体４２を透して出射する。
【００３３】
なお、この発明は前記実施の形態に限定するものではない。例えば、前記実施の形態においては、前配置ユニット３１の前構成部材を、前装飾部材３３と、枠構成部材４３によって分割構成したが、一体に形成することも可能である。また、前構成部材に対し前レンズ体４７を別体に形成して組み付けてもよい。また、前記実施の形態においては、後配置ユニット５０の後構成部材としての取付台５２を、台本体６０とカバー体１１０によって分割構成したが、一体に形成することも可能である。また、後構成部材としての取付台５２に対し、後レンズ体６７を別体に形成して組み付けてもよい。また、前記実施の形態においては、役物装置３０を、遊技盤１０の後側から配置される後配置ユニット５０と、遊技盤１０の前側から配置される前配置ユニット３１と、を備えて構成される場合を例示したが、必ずしもユニット化しなくてもよい。
【００３４】
また、前記実施の形態において、図柄表示装置１２０を備えた役物装置３０に本発明を適応した場合を例示したが、この発明に係る役物装置は前記実施の形態に限定するものではない。例えば、図柄表示装置１２０を備えていない型式の役物装置３０であっても採用することができる。一例として、球の流入に基づいて大当たり特典を付与する特定領域を入賞室内に備え、入賞室の入賞口を開閉羽根等の可変部材で開閉あるいは拡縮する型式の役物装置であってもよい。さらに、遊技盤面の球を普通入賞口と特定入賞口等の異なる入賞口間に振り分ける各種の振分装置等を備える役物装置であってもよい。すなわち、遊技盤面に配置されて球の入賞に作用する装置全般を役物装置として含むものである。また、前記実施の形態において、役物装置の後構成部材が図柄表示装置１２０を備える態様について説明したが、後構成部材としては、図柄表示装置１２０に関連しないものであってもよい。例えば、後構成部材としては、役物装置を構成しながら球を誘導する誘導通路を有するものや、モータ・ソレノイド等の駆動装置を支持する支持部材、制御基板ボックス等を兼ねたもの、単なる蓋部材等なども含まれる。さらに、役物装置を構成しない遊技盤の後側に配置された部材も含む。特に、遊技盤の後面に取り付けられた誘導樋、基板ボックス、回路基板等、遊技盤の後面に取り付けられる特有の機能を有する部材を後構成部材とした場合には、遊技盤の後側に対する省スペース化に効果を奏する。
【００３５】
【発明の効果】
以上述べたように、この発明によれば、遊技機の役物装置の発光装飾部の光源をなす発光体に前側に前後の各レンズ体をそれぞれ配設することによって、光拡散機能を確保しながらレンズ体の意匠性を高めることが容易となる。
【図面の簡単な説明】
【図１】この発明の実施の形態に係る遊技機としてのパチンコ機の役物装置の構成部品を分離して前側から示す斜視図である。
【図２】同じく役物装置の前構成部材と取付台とを分離して前側から示す斜視図である。
【図３】同じく役物装置の取付台と第１〜第３のランプ基板とを分離して後側から示す斜視図である。
【図４】同じく役物装置の構成部品を分離して後側から示す斜視図である。
【図５】同じく遊技盤に役物装置を装着した状態を示す正面図である。
【図６】同じく図５のＶＩ−ＶＩ線に基づく断面図である。
【図７】同じく役物装置を示す正面図である。
【図８】同じく図７のＶＩＩＩ−ＶＩＩＩ線に基づく断面図である。
【図９】同じく役物装置の発光装飾部を拡大して示す断面図である。
【図１０】同じく図７のＸ−Ｘ線に基づく断面図である。
【符号の説明】
１０ 遊技盤
１０ａ 役物装着孔
１５ 遊技領域
３０ 役物装置
３１ 前配置ユニット
３３ 前装飾部材
３４ 上飾り部
３５，３６ 第２のレンズ体
３９ 下飾り部
４０ サイド飾り部
４２ 第３のレンズ体
４３ 枠構成部材
４４ 周壁部
４５ 奥板部
４６ 開口窓
４７ 前レンズ体（第１のレンズ体）
５０ 後配置ユニット
６０ 台本体
６１ 前板部
６３ 段差壁
６５ 奥板部
６６ 開口窓
６７ 後レンズ体
６９ 第１の基板装着部
７２ 第２の基板装着部
７５ 第３の基板装着部
９０ 第１のランプ基板
９１ 発光体
９３ 第２のランプ基板
９４ 発光体
９６ 第３のランプ基板
９７ 発光体
１２０ 図柄表示装置
１２２ 図柄表示面
【図１】
0004333828.tif 000002
【図２】
0004333828.tif 000003
【図３】
0004333828.tif 000004
【図４】
0004333828.tif 000005
【図５】
0004333828.tif 000006
【図６】
0004333828.tif 000007
【図７】
0004333828.tif 000008
【図８】
0004333828.tif 000009
【図９】
0004333828.tif 000010
【図１０】
0004333828.tif 000011